(57)【特許請求の範囲】
【請求項１】
わい性種パパイヤを茎頂点培養して得た雌株苗または両性株苗を、底面に突起部を形成したポットに入れたサンゴダストを混入した培地を用いて、１個体ごとに一つのポットで施設内で養液栽培を行うことを特徴とするパパイヤの栽培方法。
【請求項２】
わい性種パパイヤを茎頂点培養して得た雌株苗または両性株苗を、側面に多数の透孔を有し底面に突起部を形成したポット、または底面に突起部を形成した金網ポットに入れた培地を用いて、１個体ごとに一つのポットで施設内で養液栽培を行うことを特徴とするパパイヤの栽培方法。
【請求項３】
わい性種パパイヤを茎頂点培養して得た雌株苗または両性株苗を、底面をベースの上に載せた金網ベンチ内で個体ごとに凸状に盛り上げた培地を用いて、盛り上げた培地一つに１個体ずつ施設内で養液栽培を行うことを特徴とするパパイヤの栽培方法。
【請求項４】
請求項１〜３のいずれか１項に記載の栽培方法で生育した樹体が施設の屋根に達した時点で、主幹の土壌面から３０〜４０ｃｍ上方の基部から切り戻し、新たに発生した側枝を引き続き同一培地により施設内で養液栽培することを特徴とするパパイヤの栽培方法。
【発明の詳細な説明】
【０００１】
【発明の属する技術分野】
本発明は、ハウス等の施設内でパパイヤを栽培する技術に関し、さらに詳しくは、パパイヤ苗からの生育を効果的に管理、制御して、安定した高品質果実の生産を可能とし、さらには、従来の栽培方法に比べて長期間にわたって同一個体からの継続収穫が可能なパパイヤの栽培方法に関するものである。
【０００２】
【従来の技術】
パパイヤは、草本性の果樹で、開花、結実、果実肥大を同時に繰り返しながら伸長し、生長点は常に上へと伸びる性質を備えている。
【０００３】
従来のパパイヤ栽培は、実生栽培が主体で、露地またはハウス等の施設で栽培されているが、いずれも地床で栽培されている。地床栽培では、生育が過度に旺盛で葉も樹体も大きくなりやすいが、草本性であるため茎、葉ともに軟弱で、強風や潮に弱い。特に沖縄地方では、毎年襲来する台風と潮風害による壊滅的な打撃を避けるために、施設栽培が普及している。
【０００４】
【発明が解決しようとする課題】
従来の栽培方法における実生栽培では、個体差や品質にばらつきがあり、播種した苗が雄株であればそれを除去しなければならなかった。
【０００５】
またパパイヤは水分要求度が高い反面、土壌水分過剰に弱く、過湿状態になると落葉、着果不良、果実肥大不良、着色不良、果実品質劣化等の被害を受けやすくなる。また、２４〜４８時間の停滞水で根腐れを起こすという報告もある（「沖縄県農林水産部果樹栽培要領」、（平成１１年３月発行））。従来の地床栽培では、土壌の過湿を避けるために、水分要求を満たす十分な灌水ができない傾向にあった。
【０００６】
さらに、施設内での地床栽培では、生育が旺盛で１〜２年で樹体が屋根部へ到達し栽培の継続が困難になるめ、樹体が屋根に到達した時点で新たに苗を植え替えて更新しなければならなかった。従来から施設栽培においては、苗を傾斜植え（苗を約４５度傾けて植える）したり誘引する等して、低位置から結実させる等の工夫もされているが、それでも更新サイクルは一般的には約２年ときわめて短い。
【０００７】
また地床栽培の場合、土壌伝染性の根腐れ病（Ｐｈｙｔｏｐｈｔｈｏｒａ  ｓｐｐ．）が蔓延しやすく、土壌消毒なしには同一地床では連作できないという問題もあった。現在、土壌消毒には主としてクロールピクリンが使用されているが、２００３年にその使用が全廃されるため、根腐れ病の確実な対策がなくなる心配もある。
【０００８】
そこで本発明の目的は、個体差や品質にばらつきがなく、土壌水分過剰による被害や根腐れ病の蔓延を防止でき、パパイヤ苗からの生育を施設内で効果的に管理、制御でき、これによって高品質果実の安定な生産が可能となるパパイヤの栽培方法を提供することである。
【０００９】
さらに本発明の目的は、新たに苗を植え替えて更新する方法に比べて、更新サイクルを延長することができ、同一個体からの長期間にわたる継続収穫が可能なパパイヤの栽培方法を提供することである。
【００１０】
【課題を解決するための手段】
本発明のパパイヤの栽培方法においては、わい性種パパイヤを茎頂点培養して得た雌株苗または両性株苗を、地面と直接接触せずかつ個体ごとに隔離した透水性および／または通気性の良好な培地により施設内で養液栽培を行うことによりパパイヤを栽培するのである。
【００１１】
すなわち本発明は、わい性種パパイヤを茎頂点培養して得た雌株苗または両性株苗を、底面に突起部を形成したポットに入れたサンゴダストを混入した培地を用いて、１個体ごとに一つのポットで施設内で養液栽培を行うことを特徴とするパパイヤの栽培方法である。
さらに本発明は、わい性種パパイヤを茎頂点培養して得た雌株苗または両性株苗を、側面に多数の透孔を有し底面に突起部を形成したポット、または底面に突起部を形成した金網ポットに入れた培地を用いて、１個体ごとに一つのポットで施設内で養液栽培を行うことを特徴とするパパイヤの栽培方法である。
さらにまた本発明は、わい性種パパイヤを茎頂点培養して得た雌株苗または両性株苗を、底面をベースの上に載せた金網ベンチ内で個体ごとに凸状に盛り上げた培地を用いて、盛り上げた培地一つに１個体ずつ施設内で養液栽培を行うことを特徴とするパパイヤの栽培方法である。
【００１２】
かような本発明によれば、茎頂点培養で均一に培養された雌株苗または両性株苗のみを植え付けられるため、実生栽培のように雄株苗を除去する必要がなく、さらには個体差や品質にばらつきを少なくすることができる。またわい性種の品種を用いることにより、施設栽培に際して従来のように苗の段階から傾斜植えや誘引作業等を行う必要がなくなる。
【００１３】
また、透水性や通気性の良好な培地により養液栽培を行うことにより、土壌水分過剰となることなく十分な灌水ができるとともに、養水分の効果的な管理、制御が可能となり、その結果、安定した高品質のパパイヤの生産ができる。
【００１４】
また、地面と直接接触せずかつ個体ごとに隔離した培地を使用するため、土壌伝染性の根腐れ病等の蔓延を少なくでき、また罹病した場合には個体ごとに太陽熱殺菌などによる殺菌消毒が可能であるため、被害を最小限に抑えることができる。
【００１５】
さらに本発明によるパパイヤの栽培方法は、上記のようにして生育した樹体が施設の屋根に達した時点で、主幹の土壌面から３０〜４０ｃｍ上方の基部から切り戻し、新たに発生した側枝を引き続き同一培地により施設内で養液培養することを特徴とするものである。
【００１６】
このように切り戻しにより発生した側枝から再度果実を収穫するため、同一個体から長期間にわたる継続収穫が可能となるとともに、再度収穫できるようになる期間は、新たに苗を植え替える場合よりも側枝から収穫する場合の方がより短期間で収穫できるようになる。
【００１７】
【発明の実施の形態】
本発明で使用するパパイヤ品種としては、例えばワンダーフレアのようなわい性種のものを使用する。また、茎頂点培養の方法は、従来から慣用されている種々の方法があり、本発明では、茎頂点培養により得られたわい性種パパイヤの雌株苗または両性株苗であれば、培養方法等に特に制限なくいかなる苗でも使用できる。
【００１８】
養液栽培の方法も、従来から慣用されている種々の方法を採用することができる。例えば、窒素、リン酸、カリ、さらに必要に応じて各種微量要素を所定量含有する水溶液を灌水チューブを用いて培地中に圧送、注入する方法が挙げられる。養液の施与量は、苗あるいは樹体の生育ステージに合わせて適宜変化させることにより、養水分の適切な管理、制御を行うことができる。
【００１９】
本発明で使用する培地は、透水性または通気性、あるいはその両方の性質が良好な培地であればいかなる培地でも使用でき、個体ごとに地床から隔離された培地とする。
【００２０】
特に培地の透水性を良好にするためには、サンゴを微粉砕したサンゴダストを赤土や堆きゅう肥とともに配合することが好ましい。図１は、サンゴダストを混入した培地をポット１に入れて、１個体ごとに養液培養している状態の実施例を図示している。ポット１としては、例えば市販のポリエチレン等のプラスチック製の園芸用ポットでよく、一例を挙げれば、上部が開口し底部へ向かってやや先細とされた逆円錐形で、高さ約５０ｃｍ、上面直径約６０ｃｍ、底面直径約４５ｃｍ、容量約８０Ｌであり、底面に直径約３ｃｍの透孔２が８個等間隔で形成されている。また、ポット底面には地面と直接触れないように、またフォークリフト等で運搬し易いように、突起部３が数個形成されている。図１に図示されているように、かようなポット内の培地に潅水チューブ４先端を挿入し、チューブから培地内に所定量の養液を圧送、注入することによって養液栽培がなされる。
【００２１】
また、培地の通気性を促進させるために、多数の透孔を有するポットを使用することができる。図２は、通気性を促進させたポットの実施例を示しており、図１に示したポット１の側面に多数の透孔２を形成したものである。
【００２２】
図３は、金網ベンチに培地を載置して培地の通気性を高めた実施例を示している。金網ベンチ５の素材は、例えば、鉄筋を碁盤目状に組み合わせて溶接加工し、耐食性をもたせるために表面を亜鉛メッキ処理した市販品が好ましく使用できる。この素材で幅約６０ｃｍ、長さ約１００ｃｍ、側壁高さ約２０ｃｍのユニットを作成し、複数個のユニットを連結配列して施設の長さに応じた長尺の金網ベンチとする。また、かような金網ベンチ５の内面には、網目の細かいポリエチレン製ネット６を内張りすることにより、金網ベンチ５の間隙から培地土壌の粒子がこぼれ落ちないようにする。また金網ベンチ底面５ａをブロック等のベース７の上に載せて、地面と直接接しないようにしている。この金網ベンチ５内に培地を入れて、個体ごとに約１００Ｌの容量となるように培地を凸状に盛り上げ、盛り上げた培地ごとに潅水チューブ４から養液を圧送、注入することによって、個体ごとに隔離した養液栽培を行うことができる。
【００２３】
図４は、培地の通気性を高めるために使用できる金網ポットの実施例を示すものである。この金網ポット８は、エキスパンドメタル８ａを用いて高さ約５０ｃｍ、直径約６０ｃｍ、容量約１００Ｌの円筒形のポット形状に成形してあり、底面には地面と直接触れないように、またフォークリフト等で運搬し易いように、突起部９が数個形成されている。かような金網ポット８においても、内面に網目の細かいポリエチレン製ネット（図示せず）を内張りすることにより、エキスパンドメタル８ａの間隙から培地土壌の粒子がこぼれ落ちないようにする。
【００２４】
本発明の栽培方法により、わい性種パパイヤを茎頂点培養して得た雌株苗または両性株苗を透水性、通気性の良好な培地で個体ごとに養液栽培を行うことにより、一般的には苗の定植から約９ヶ月後から果実の収穫ができるようになり、約２年間にわたって収穫が可能となる。この収穫期間の終期には、わい性種のパパイヤでも樹体がハウスの屋根に到達してしまい、生育に支障をきたす。
【００２５】
本発明においては、樹体がハウスの屋根に到達した時点で、図５に示すように、樹体の主幹１０の土壌面から約３０〜４０ｃｍ程度上方の基部から切り戻しを行うことにより側枝１１を発生させ、この側枝を同一培地により引き続き施設内で養液培養を行うことにより、側枝から再度果実を収穫するのである。側枝から再度収穫できるようになるのは一般的には切り戻し後約６ヶ月程度であり、新たな苗を植え替え後に収穫できるようになる約９ヶ月に比べて収穫開始時期を短縮させることができる。さらに、最初の苗からの収穫期間と切り戻し後の側枝からの収穫期間とを合わせれば、同一個体から４〜５年の継続収穫が可能となる。
【００２６】
【実施例】
茎頂点培養されたわい性種パパイヤ（品種：ワンダーフレア）の雌株苗を、沖縄県石垣市の園芸農家のハウスにて、以下の方法および条件で栽培した。
なお茎頂点培養は、「園芸学会雑誌」第６９巻、別冊１、７６頁“パパイヤ再分化系の確立”（平成１２年３月発行）に記載の方法により行った。
【００２７】
（１）培地
下記４種類の培地について試験した。
・サンゴダスト・ポット区（本発明区）
容積比で赤土４：堆きゅう肥２：サンゴダスト２を混合した培地により、図１に示したポットを使用して栽培した。
・金網ベンチ区（本発明区）
容積比で赤土７：堆きゅう肥３を混合した培地により、図３に示したような金網ベンチ上で、個体ごとに凸状に培地を盛り上げて栽培した。
・ポット区（対照区）
容積比で赤土５：堆きゅう肥３：ピートモス２を混合した培地により、図１に示したポットを使用して栽培した。
【００２８】
（２）栽培方法
上記の各培地に雌株苗を定植し、マイクロチューブを用いる自動潅水により養液栽培を行った。養液は、原水１ｔに対して水溶性肥料（窒素１９％：リン酸１９％：カリ１９％、商品名「ポリフィード」、ハイファ・ケミカルズ・リミテッド（Ｈａｉｆａ  Ｃｈｅｍｉｃａｌｓ  Ｌｔｄ．）社製）２５０ｇと水溶性肥料（窒素６％、リン酸０％、カリ９％、商品名「ＯＫ−５号」、大塚化学（株）製）１０ｇを溶解した水溶液を用いた。
【００２９】
養液の施与量は、生育ステージに合わせて下記の通り変化させた。
定植〜２ヶ月間：１日１回、１株当たり５００ｃｃ
２ヶ月〜３ヶ月：１日１回、１株当たり１０００ｃｃ
３ヶ月〜６ヶ月：１日２回、１株当たり合計２０００ｃｃ
６ヶ月〜９ヶ月：１日３回、１株当たり合計４５００ｃｃ
９ヶ月以降：    １日４回、１株当たり合計６０００ｃｃ。
【００３０】
（３）主幹切り戻し
上記の培地および栽培方法を用いて、１９９７年６月下旬に苗の定植を行った。本発明によるサンゴダスト・ポット区および金網ベンチ区での栽培は、定植９ヶ月後の１９９８年４月から２０００年５月まで約２年間収穫可能であった。２０００年５月には樹体がハウスの屋根に達した。
この時点で、サンゴダスト・ポット区および金網ベンチ区の一部について、樹体主幹の土壌表面から約３０ｃｍ上方の基部から図５に図示したように切り戻しを行い、切り戻しを行わなかった樹体については、新たな苗に植え替えた。
【００３１】
新たな苗に植え替えたものについては、最初の苗と同様に、植え替え９ヶ月後の２００１年２月から収穫できるようになったのに対して、切り戻しを行ったものは主幹基部から側枝が発生し、切り戻し６ヶ月後の２０００年１１月には側枝から再度収穫ができるようになった。この側枝からの収穫は現在（２００１年１０月）も引き続き行っており、主幹の収穫期間と同様に少なくとも約２年間は収穫可能と予想される。すなわち、新たな苗に植え替える場合と比べて、切り戻しを行った場合には、収穫開始時期を約３ヶ月早めることができるとともに、同一個体から少なくとも４年間の継続収穫が可能となる。
【００３２】
なお、本発明によるサンゴダスト・ポット区および金網ベンチ区で栽培した樹体の場合、切り戻しによる側枝再生率は９７％となったのに対して、従来のハウス内地床栽培の場合には切り戻しによる側枝再生率は４０％程度に過ぎなかった。この原因は、サンゴダスト・ポット区および金網ベンチ区では土壌水分を自由に制御、管理できるのに対して、地床栽培では土壌水分過多により再生根が十分に発達し得ないためと考えられる。
【００３３】
（４）培地物性
上記の各培地の物性として、透水速度（ｃｃ／ｓｅｃ．ｃｍ２  ）およびガス交換面積率（ｃｍ２  ／ｃｍ３  ）を測定した結果、および過湿による障害（落葉、着果不良、果実肥大不良、着色不良、果実品質劣化）の有無を表１に示す。
【００３４】
透水速度およびガス交換面積率は以下の方法により測定した。
［透水速度］
直径５ｃｍ、容積２００ｍＬの円筒容器を土壌表面に置き、この円筒容器内に水２００ｍＬを静かに流し込み、全量が土壌表面から完全に土壌内に浸透するまでの時間を測定して、透水速度（ｃｃ／ｓｅｃ．ｃｍ２  ）を算出した。
［ガス交換面積率］
培地体積当たりの空気接触面積を表す。ポットの場合にはポット上部の土壌表面の空気に触れている面積、金網ベンチの場合には底面を除いた土壌上部表面と土壌側面の空気に触れている面積を、空気接触面積とする。
【００３５】
なお、比較のために、従来から行われている施設内地床栽培法（パパイヤ品種は、わい性種ではないサンライズを用い、種から発芽させた実生苗から栽培する方法）で使用されている施設内の地床の物性についても、地床区として表１に併せて示す。
【００３６】
【表１】培地物性
0003565198.tif 000002
【００３７】
表１からわかるように、透水速度はポット区と地床区で極めて低かった。このことは、特に従来の地床区では、停滞水や土壌水分過剰による根腐れを起こしやすい状況を示す。一方、サンゴダスト・ポット区の透水速度は、地床区の約９倍、ポット区の約４倍と極めて高かった。
またガス交換面積率は、金網ベンチ区で極めて多かった。このことは、ガス交換の促進により土壌中の酸素濃度が高く維持されることを示す。
【００３８】
過湿による障害は、ポット区と地床区でみられたが、サンゴダスト・ポット区と金網ベンチ区ではみられなかった。このことから、サンゴダスト・ポット区では透水性の高さが、金網ベンチ区では通気性の高さが、過湿を防いだといえる。すなわち本発明によるサンゴダスト・ポット区と金網ベンチ区においては、過湿による被害を受けることなく十分な潅水が可能であることを示している。
【００３９】
（５）生育特性
上記の培地および栽培方法を用いて、２０００年６月８日に苗を定植して栽培試験を行った。苗の定植後約１１ヶ月（果実の収穫開始後約２ヶ月）時点である２００１年４月２５日に、各試験区で栽培した樹体について、生葉数、着果数、生存率を調べた結果を表２に示す。
【００４０】
なお、比較のために、従来の施設内地床栽培（品種：サンライズ、種から発芽させた実生苗使用）の結果も、地床区として表２に併せて示す。従来の施設内地床栽培は、植床に堆きゅう肥を元肥として一株当たり１０〜１５ｋｇ施肥し、植幅を約９０ｃｍ、１５〜３０ｃｍ上げ床とする。施肥方法は、植え付け１ヶ月目に第１回目の施肥、その後は生育状態に応じて加減して施す。肥料は、マンゴー専用１号（窒素５％、リン酸７％、カリ５％）や有機７０６号（窒素７％、リン酸１０％、カリ６％）の有機質肥料を使用する。
【００４１】
【表２】生育特性
0003565198.tif 000003
【００４２】
表２からわかるように、本発明によるサンゴダスト・ポット区と金網ベンチ区においては、生葉数、着果数ともにポット区、地床区に比べて大幅に増加した。また地床区の生存率は６８％と低く、果実収量の低下原因となっていた。
【００４３】
（６）果実特性
上記の生育特性の試験後に栽培を継続し、２００１年６月２１日〜７月２４日までの期間内で収穫適期を迎えた果実を収穫した。収穫適期とは、果実の外観が、夏場は黄色に２〜３分着色した頃、冬場は黄色に５〜６分着色した頃を指す。各試験区で収穫された果実について、糖度（Ｂｒｉｘ  ％）、果実重（ｇ）、果長（ｍｍ）、果径（ｍｍ）、収穫量（ｋｇ／１０ａ／年）、食味を調べた結果の平均値を表３に示す。
【００４４】
食味は実際に食した際の官能試験により下記の基準で評価した。
◎：肉質と甘味等を評価して“良”
○：肉質と甘味等を評価して“可”
△：肉質と甘味等を評価して“不可”
なお、比較のために、従来の施設内地床栽培（品種：ワンダーフレアおよびサンライズ、種から発芽させた実生苗使用。栽培方法は上記（５）参照）による果実特性についても、地床区として表３に併せて示す。
【００４５】
【表３】果実特性
0003565198.tif 000004
【００４６】
表３からわかるように、本発明によるサンゴダスト・ポット区と金網ベンチ区においては、ポット区、地床区に比べて糖度が高まり、果実が大きくなり、収穫量が増加するとともに、食味も良くなった。
【００４７】
（７）栽培密度
従来の施設内地床栽培（品種：サンライズ）においては、水分吸収が旺盛になり、樹冠の広がりを抑制できないため、栽培密度は０．５本／坪（１６０本／１０ａ）以上には増やせなかった。
これに対して本発明によるサンゴダスト・ポット区および金網ベンチ区の栽培では、養水分吸収を抑制できることにより、樹冠の広がりが抑制される結果、栽培密度を０．８本／坪（２４０本／１０ａ）まで増加させることが可能となった。
【００４８】
【発明の効果】
以上の説明からわかるように本発明にれば、個体差や品質にばらつきがなく、土壌水分過剰による被害や根腐れ病の蔓延を防止でき、パパイヤ苗からの生育を施設内で効果的に管理、制御することができる。その結果、高品質果実の安定な生産が可能となる。
【００４９】
さらに、切り戻しにより発生した側枝から再収穫することにより、新たに苗を植え替えて再収穫する方法に比べて、再収穫開始時期を早めることができるとともに、同一個体からの長期間にわたる継続収穫ができ、更新サイクルを延長することが可能となる。
【図面の簡単な説明】
【図１】透水性良好な培地によるポットを用いた養液栽培の説明図。
【図２】通気性良好な多数の透孔を有するポットの実施例を示す斜視図。
【図３】通気性良好な金網ベンチを用いた養液栽培の説明図。
【図４】通気性良好な金網ポットの実施例を示す斜視図。
【図５】主幹を切り戻して側枝を発生させた状態の説明図。
【図１】
0003565198.tif 000005
【図２】
0003565198.tif 000006
【図３】
0003565198.tif 000007
【図４】
0003565198.tif 000008
【図５】
0003565198.tif 000009